(57)【特許請求の範囲】
【請求項１】
カセットを１つの区画から隣接区画へ順に前進送り移動させる装置が内部に配設された外部筐体（１）を有する、カセットを収容する複数の区画を持つマガジンであって、
該外部筐体（１）は、その上部と前面（２）が開口しており、内部に挿入される内部筐体（３）を含み、該内部筐体には送り要素（１５）が一つの区画の奥行き分にわたって前後に移動できるように搭載され、該送り要素は該内部筐体（３）を長手方向において底部から側部上方へ、弾性片部材（１６）として形成されたＵ字形の脚部をもってＵ字形に取り囲んでおり、
該区画には、該内部筐体（３）の対向する側壁（４、５）に一体的かつ互いに対称的に形成され、内部空間に突出している２つ以上のばね要素（９）が形成され、そのばね頭部（１０）は該外部筐体（１）の開口した該前面（２）を向いており、
該送り要素（１５）は、該弾性片部材（１６）の上端部において、各区画ごとに２つ以上の、該内部筐体（３）の側壁（４、５）の領域において内部空間に突出するウェッジ要素（１７）を有し、そのウェッジ頭部（２０）は同様に該外部筐体（１）の開口した該前面（２）を向いており、
該ばね頭部（１０）及びウェッジ頭部（２０）は、カセット（１１）のための支持面を構成するために共通の区画平面内に存在する、
ことを特徴とする、マガジン。
【請求項２】
２対の前記ばね要素（９）が１つの区画ごとに前記ウェッジ要素（１７）の上部と下部に配置されていることを特徴とする、請求項１に記載のマガジン。
【請求項３】
前記送り要素（１５）は、固定された傾斜面要素（１９）を持つウェブ（１８）を前記区画の底部領域に有し、該傾斜面要素の傾斜面頭部（２１）は同様に前記共通の区画平面内に存在することを特徴とする、請求項１又は２に記載のマガジン。
【請求項４】
前記区画に割当てられた前記ばね要素（９）は、前記内部筐体（３）の長手方向に、順次一列に配列されていることを特徴とする、請求項１、２又は３に記載のマガジン。
【請求項５】
前記内部筐体（３）の前記側壁（４、５）には、それぞれに一つのガイドスロット（１２、１３）が長手方向に延びており、前記送り要素（１５）の弾性的に構成された前記ウェッジ要素（１７）が該ガイドスロットに挿入されることを特徴とする、請求項１〜４のいずれか一に記載のマガジン。
【請求項６】
別のガイドスロット（１４）が前記内部筐体（３）の底面に長手方向に延びており、該ガイドスロットに前記送り要素（１５）の前記傾斜面要素（１９）を持つ前記ウェブ（１８）が挿入されることを特徴とする、請求項３〜５のいずれか一に記載のマガジン。
【請求項７】
前記外部筐体（１）の開口した前記前面（２）は、前記内部筐体（３）から押し出されたカセット（１１）を収容するプラットホーム（８）を有することを特徴とする、請求項１〜６のいずれか一に記載のマガジン。
【請求項８】
前記外部筐体（１）の底面には開口部（２２）が設けられ、その背後には前記送り要素（１５）の底面に溝（２３）が送り方向に直角に設けられ、該開口部（２２）の大きさは該送り要素（１５）の行程に適合していることを特徴とする、請求項１〜７のいずれか一に記載のマガジン。
【請求項９】
前記開口部（２２）は、マガジンの内部空間へ突出した偏心ピン（２５）を持つロータリーディスク（２４）を収容するように円形であり、該偏心ピン（２５）は、前記送り要素（１５）の底面の前記溝（２３）と係合し、その偏心半径は、前記内部筐体（３）の長手方向において隣接する区画平面により規定される１区画の奥行きの半分の長さに対応していることを特徴とする、請求項８に記載のマガジン。
【請求項１０】
請求項１〜９のいずれか一に記載のマガジンであって、
該カセット（１１）を前進送りする間は、該カセット（１１）の前方にあるばね要素（９）は側壁（４、５）内に押し込まれ、再び該側壁（４、５）から、前進した該カセット（１１）の後方にある区画平面内へ突出して、
該送り要素（１５）が引き戻されている間は、該カセット（１１）の前方にあるウェッジ要素（１７）は、静止している該カセット（１１）により該側壁（４、５）内に押し込まれ、再び該カセット（１１）の後方にある区画平面内へ突出する、
ことを特徴とするマガジン。
【請求項１１】
傾斜面要素（１９）を有する前記送り要素（１５）が引き戻されている間、前記カセット（１１）は１つの傾斜面の高さ分だけ持ち上げられて、引き戻された傾斜面頭部（２１）の前方にある通路（２９）の上に再び落下することを特徴とする、請求項１０に記載のマガジン。
【請求項１２】
マガジンの内部筐体（３）内の複数のカセット（１１）を、送り要素（１５）を用いて該内部筐体（３）の１つの区画から隣接区画へ順次移送する移送方法であって、
該区画には、該内部筐体（３）の対向する側壁（４、５）に一体的かつ互いに対称的に形成され、内部空間に弾性的に突出している２つ以上のばね要素（９）が形成され、各ばね要素（９）は、送り方向に向かって高くした傾斜面と、送り方向に対して垂直な平面部を形成する該ばね要素（９）の前端部のばね頭部（１０）とを有しており、
・カセット（１１）を、送り要素（１５）を用いて送り方向へ押圧して、ばね要素（９）を側壁（４、５）内に弾性的に押し込みつつ、ばね頭部（１０）まで前進送りする工程と、
・カセット（１１）がばね頭部（１０）を超えて送られた時点で、ばね要素（９）を内部空間に再び突出させる工程と、
・カセット（１１）をばね頭部（１０）に当接させたまま、送り要素（１５）のみを逆戻りさせる工程と、
を含むことを特徴とする、方法。
【請求項１３】
前記カセット（１１）を前進送りする工程は、送り要素（１５）に配設されたウェッジ要素（１７）において送り方向端部に形成されたウェッジ頭部（２０）を用いてカセット（１１）を押圧することにより行うことを特徴とする、請求項１２に記載の方法。
【請求項１４】
前記ばね要素（９）を内部空間に再び突出させる工程は、ばね要素（９）の弾性復元力を用いて行うことを特徴とする、請求項１２又は１３に記載の方法。
【請求項１５】
前記ウェッジ要素（１７）は、送り方向に対して垂直な方向においてに弾性変形するように構成されており、前記送り要素（１５）のみを逆戻りさせる工程は、ウェッジ頭部（２０）が１つ手前のカセット（１１）の背後に来るまで前記ウェッジ要素（１７）を弾性変形させながら行なわれることを特徴とする、請求項１２〜１４のいずれか一に記載の方法。
【請求項１６】
前記各工程は、カセット（１１）が、送り要素（１５）の底部に配設されており且つ送り方向に向かって高くなり且つ送り方向端部に傾斜面頭部（２１）を有する傾斜面要素（１９）により当接支持された状態で行われることを特徴とする、請求項１２〜１５のいずれか一に記載の方法。
【発明の詳細な説明】
【技術分野】
【０００１】
（関連出願）本願は、２００７年１２月１０日に出願されたドイツ連邦共和国特許出願第１０２００７０５９３９２．０号の優先権を主張するものであり、その全開示内容は、引用をもって本書に繰込み記載されているものとする。
本発明は、カセットを収容する、仕切られた区画を有するマガジンに関する。
【背景技術】
【０００２】
従来のスライドマガジンとしては、医学的試料（対象物ブロック）を埋め込んだカセットを収容するミクロトーム装置の付属部品としても用いられるものがある（ＤＥ２０２００４００６Ｕ１）。このようなマガジンは特にスライドマガジン（Dia-Magazine）として知られる。
【０００３】
ＵＳ３６９１９８８Ａには、顕微鏡の対象物プレート上の試料を染色するための装置が開示されている。試料搬送機が筐体内でさまざまな染色液の入った容器に浸漬されうる。
【０００４】
ＵＳ３０４０９２９Ａには、前後に移動して錠剤を順番に１つずつ取り出すことができる移動機構を持つ、錠剤の保管容器が開示されている。
【０００５】
ＤＥ２３０６９６７Ａには、前後２方向の直線運動を間欠的な１方向直線運動に変換する自動販売機が開示されている。
【特許文献１】ＤＥ  ２０  ２００４  ００６  Ｕ１
【特許文献２】ＵＳ  ３  ６９１  ９８８  Ａ
【特許文献３】ＵＳ  ３  ０４０  ９２９  Ａ
【特許文献４】ＤＥ  ２  ３０６  ９６７  Ａ
【発明の開示】
【発明が解決しようとする課題】
【０００６】
試料を処理するために、カセットはミクロトーム装置に設けられた送り装置により、マガジンから取り出さなければならない。このため、マガジン全体が、取り出すべきカセットのそれぞれが送り装置の収容領域に配置されるように移動されなければならない。このために必要なマガジンのガイドと移動の距離は、そのままマガジン自体に必要な長さとなる。
【０００７】
カセットが任意の順序でマガジンから取り出される場合には、マガジンの移動が必要となる。しかし試料処理の自動化をさらに進めるという観点から、カセットはマガジン内の配置の順序に従って、順番に処理されている。このような理由もあって、従来のマガジンはその全体長さだけ移動させる必要がある。
【０００８】
本発明は、所定の取り出しステーションでカセットが順次送給され、処理ステーションで場所を取らずに配置することができる、マガジンを提供することを目的とする。
【課題を解決するための手段】
【０００９】
本発明の第１の視点によれば、この目的は請求項１に記載した特徴を有するマガジンによって達成される。即ち、本発明の一視点において、カセットを１つの区画から隣接区画へ順に前進送り移動させる装置が内部に配設された外部筐体を有する、カセットを収容する複数の区画を持つマガジンが提供される。該外部筐体は、その上部と前面が開口しており、内部に挿入される内部筐体を含み、該内部筐体には送り要素が一つの区画の奥行き分にわたって前後に移動できるように搭載され、該送り要素は該内部筐体を長手方向において底部から側部上方へ、弾性片部材として形成されたＵ字形の脚部をもってＵ字形に取り囲んでおり、該区画には、該内部筐体の対向する側壁に一体的かつ互いに対称的に形成され、内部空間に突出している２つ以上のばね要素（ラチェット状要素）が形成され、そのばね頭部は該外部筐体の開口した該前面を向いており、該送り要素は、該弾性片部材の上端部において、各区画ごとに２つ以上の、該内部筐体の側壁の領域において内部空間に突出するウェッジ要素を有し、そのウェッジ頭部は同様に該外部筐体の開口した該前面を向いており、該ばね頭部及びウェッジ頭部は、カセットのための支持面を構成するために共通の区画平面内に存在する。なお、特許請求の範囲に付記した図面参照符号は、専ら理解を助けるためのものであり、図示の態様に限定することを意図するものではない。
【００１０】
また、本発明に係る他の視点として、マガジンの内部筐体内の複数のカセットを、送り要素を用いて該内部筐体の１つの区画から隣接区画へ順次移送する移送方法が提供される。該区画には、該内部筐体の対向する側壁に一体的かつ互いに対称的に形成され、内部空間に弾性的に突出している２つ以上のばね要素が形成され、各ばね要素は、送り方向に向かって高くした傾斜面と、送り方向に対して垂直な平面部を形成する該ばね要素の前端部のばね頭部とを有しており、カセットを、送り要素を用いて送り方向へ押圧して、ばね要素を側壁内に弾性的に押し込みつつ、ばね頭部まで前進送りする工程と、カセットがばね頭部を超えて送られた時点で、ばね要素を内部空間に再び突出させる工程と、カセットをばね頭部に当接させたまま、送り要素のみを逆戻りさせる工程と、を含む。
【発明の効果】
【００１１】
本発明の一視点において、所定の取り出しステーションでカセットが順次送給され、処理ステーションで場所を取らずに配置することができる、マガジンが提供される。即ち、本発明に係るマガジンは、固定された（不動の）外部筐体を含んでおり、処理ステーションにおいて、カセットを準備するための移送装置を別途配する必要がない。内部筐体には従来のマガジンと同じ数の区画を持つにもかかわらず、外部筐体全体の長さはおよそ２つの区画分長いだけである。カセットを一つの区画から次の区画へ段階的に移送する装置がマガジンの内部筐体に組み込まれているので、マガジンと処理ステーションを特に簡単に結合することが可能である。
【発明を実施するための最良の形態】
【００１２】
本発明において、以下の形態が可能である。
カセットを収容する複数の区画を持つマガジンであって、該マガジンは、該カセットを、内部に配設された１つの区画から隣接区画へ順に前進送り移動させる装置を持つ外部筐体を有し、該外部筐体は、その上部と前面が開口しており、内部に挿入される内部筐体を含み、該内部筐体には送り要素が一つの区画の奥行き分にわたって前後に移動できるように搭載され、該送り要素は該内部筐体をＵ字形に取り囲んで長手方向に配され、該区画には、該内部筐体の互いに対向する側壁に一体的かつ対称的に形成され、内部空間に突出している２つ以上のばね要素が形成され、そのばね頭部は該外部筐体の開口した該前面を向いており、該送り要素は、各区画ごとに２つ以上の、該内部筐体の側壁の領域の内部空間に突出して弾性的に構成されたウェッジ要素を有し、そのウェッジ頭部は同様に該外部筐体の開口した該前面を向いており、該ばね頭部及びウェッジ頭部は、カセットの支持面を構成する共通の区画平面内に存在すること（形態１）。
２対の前記ばね要素が１つの区画ごとに前記ウェッジ要素の上部と下部に配置されていることが好ましい（形態２）。
前記送り要素は、固定された傾斜面要素を持つウェブを前記区画の底部領域に有し、該傾斜面要素の傾斜面頭部は同様に前記共通の区画平面内に存在することが好ましい（形態３）。
前記区画に割当てられた前記ばね要素は、前記内部筐体の長手方向に、順次一列に配列されていることが好ましい（形態４）。
前記内部筐体の前記側壁には、それぞれに一つのガイドスロットが長手方向に延びており、前記送り要素の弾性的に構成された前記ウェッジ要素が該ガイドスロットに挿入されることが好ましい（形態５）。
別のガイドスロットが前記内部筐体の底面に長手方向に延びており、該ガイドスロットに前記送り要素の前記傾斜面要素を持つ前記ウェブが挿入されることが好ましい（形態６）。
前記外部筐体の開口した前記前面は、前記内部筐体から押し出されたカセットを収容するプラットホームを有することが好ましい（形態７）。
前記外部筐体の底面には開口部が設けられ、その背後には前記送り要素の底面に溝が送り方向に直角に設けられ、該開口部の大きさは該送り要素の行程に適合していることが好ましい（形態８）。
前記開口部は、マガジンの内部空間へ突出した偏心ピンを持つロータリーディスクを収容するように円形であり、該偏心ピンは、前記送り要素の底面の前記溝と係合し、その偏心半径は、前記内部筐体の隣接する区画平面の長手方向で規定される１区画の奥行きの半分の長さに対応していることが好ましい（形態９）。
該カセットを前進送りする間は、該カセットの前方にあるばね要素は側壁内に押し込まれ、再び該側壁から前進した該カセットの後方にある区画平面内へ突出して、該送り要素が引き戻されている間は、該カセットの前方にあるウェッジ要素は静止している該カセットにより該側壁内に押し込まれ、再び該カセットの後方にある区画平面内へ突出することが好ましい（形態１０）。
傾斜面要素を有する前記送り要素が引き戻されている間、前記カセットは１つの傾斜面の高さ分だけ持ち上げられて、引き戻された傾斜面頭部の前方にある通路の上に再び落下することが好ましい（形態１１）。
カセットを収容する複数の区画を持つマガジンにおいて、２以上のばね要素が形成された区画を有する内部筐体の内部に収容された複数のカセットを、送り要素を用いて隣接区画へ順次移送するカセットの移送方法であって、該２以上のばね要素は、互いに対向する側壁内側に一体的にかつ対称的に形成され、内部空間に弾性的に突出可能であり、送り方向に向かって高くした傾斜面及び送り方向端部に長手方向垂直平面を持つばね頭部を有するよう形成され、
・カセットを、送り要素を用いてばね要素の低い傾斜面側から送り方向へ押圧して、ばね要素を側壁内に弾性的に押し込みつつばね頭部まで前進送りする工程と、
・カセットがばね頭部を超えて送られた時点で、側壁内に押し込まれていたばね要素を内部空間に再び突出させる工程と、
・カセットをばね頭部に当接させたまま、送り要素のみを逆戻りさせる工程と、
を含むこと（形態１２）。
前記カセットを前進送りする工程は、送り要素に配設され、送り方向端部にウェッジ頭部を持つウェッジ要素のウェッジ頭部を用いてカセットを送り方向に押圧することにより行うことが好ましい（形態１３）。
前記ばね要素を内部空間に突出させる工程は、ばね要素の弾性復元力を用いて行うことが好ましい（形態１４）。
前記送り要素のみを逆戻りさせる工程は、長手方向垂直方向に弾性変形するように構成されたウェッジ要素を、長手方向垂直方向に弾性変形させながら行い、かつ１つ手前のカセットの背後にウェッジ頭部が来るまで行うことが好ましい（形態１５）。
前記各工程は、カセットが、送り要素の底部に配設され、送り方向に向かって高くなり、送り方向端部に傾斜面頭部を有する傾斜面要素の上に当接支持された状態で行われることが好ましい（形態１６）。
【００１３】
本発明に係るマガジンの実施例を模式的に図面に示し、以下に図面を参照して詳細に説明する。
【実施例】
【００１４】
図１に示す外部筐体１は、上面と一つの前面２が開口している。
【００１５】
図２に示す内部筐体３は、同様に上面が開口している。側壁４、５は、外側が垂直なリブ６で補強されている。内部筐体３の上面の周囲には、外部筐体１の上端部に挿入されるフレーム７が設けられている。内部筐体３は、外部筐体へ挿入した後に外部筐体１の前面２に向く前面が同じく開口している。この前面の下部には、プラットホーム８が形成されている。
【００１６】
側壁４、５のそれぞれには、２列の平行に並んだばね要素９が配置されている。ばねの頭部１０は、開口した前面に向けられており、側壁４、５から内部空間に向けて突出している。４つのばね頭部１０が、内部筐体３に挿入されたカセット１１を一つの平面で同時に支持する面を形成するように配置されている。
【００１７】
側壁４、５のそれぞれには、内部筐体３の長さ方向にガイドスロット１２、１３が形成されている。内部筐体３の開口前面の反対側には、ガイドスロット１２、１３が開口している。内部筐体３の底面には、別のガイドスロット１４が配置されている。
【００１８】
図３に、Ｕ字形断面の送り要素１５を示す。Ｕ字形の脚部が弾性片部材１６として形成され、送り要素１５の底部から伸びている。片部材１６の上端部には、内側に向いたウェッジ（くさび形ないしＶ字形）要素１７がある。ウェッジ要素１７の長さは、ばね要素９の長さと一致している。
【００１９】
送り要素１５の底面領域には、傾斜面要素１９を持つウェブ（桁腹）１８があり、その長さはばね要素９の長さと一致している。ウェッジ頭部２０と傾斜面頭部２１とは、互いに同一の平面上にある。
【００２０】
送り要素１５は、内部筐体３のガイドスロット１２、１３、１４にウェッジ要素１７及びウェブ１８が押し込まれ、長さ方向へ内部筐体３にはめ込まれる。挿入する方向は、ウェッジ頭部２０及び傾斜面頭部２１が内部筐体３の開口前面に向くようにする。基本位置では、ばね頭部１０、ウェッジ頭部２０及び傾斜面頭部２１が同一の平面内にあり、区画内のカセット１１を支持する支持面を形成している。製造誤差を補償するため、傾斜面頭部２１は、基本位置における区画及びそれに関連する区画平面のやや外側に配置することができる。送り要素１５の長さは、内部筐体３の中で、１つの区画の奥行き分だけ前後に移動できるように設定する。１つの区画の奥行きとは、２つの隣り合った区画平面間の距離と定義される。
【００２１】
図４に示す外部筐体１の底面図には、円形の開口部２２と共に、送り要素１５の底面図を示している。送り要素の裏面には、図示した範囲内に、送り方向の直角方向の溝２３がある。開口部２２の直径は、送り要素１５の全行程にわたって溝２３が開口部２２の範囲に納まるような大きさである。
【００２２】
図５に示す送り要素１５の駆動部は、直径が円形開口部２２と適合させたロータリーディスク２４を含む。ロータリーディスク２４の上には、マガジンの方向に突出した偏心ピン２５が配され、溝２３とかみ合っている。偏心半径、即ち偏心ピン２５の軸とロータリーディスク２４の回転軸との間の距離は、マガジンの１つの区画の奥行きの半分に対応している。ロータリーディスク２４を完全に１回転させると、送り要素１５は偏心ピン２５の働きにより、一つの区画の奥行き分だけ前後に移動する。駆動ユニットにはセンサ３０が統合され、偏心ピン２５と共にロータリーディスク２４の位置がこれによって測定できる。
【００２３】
図６は、モータ２６、ロータリーディスク２４、偏心ピン２５及びマガジンマウント２７を含む駆動ユニットを独立したユニットとして示した。しかし同様に、ロータリーディスク２４を偏心ピン２５と共に外部筐体１に組み込むことも可能であり、その場合、マガジンはマガジンマウント２７に配置され、そしてモータ２６の回転軸の上に配置される。
【００２４】
図７は、一部を断面で示した、外部筐体１、内部筐体３及び送り要素１５からなるマガジンの構成を示す斜視図である。マガジンの区画にはカセット１１がすべて入れられている。１つのカセット１１は取り出しのためプラットホーム８に配置されている。
【００２５】
図８の断面図は、送り要素１５が引き戻された状態の、全て満たされたマガジンの基本位置を示したものである。図８の上側の長手方向断面図からは、ばね要素９、ウェッジ要素１７及び傾斜面要素１９が列をなして配列され、それぞれの頭部が区画境界平面（compartment abutment plane）２８を構成していることが見て取れる。上部から見た長手方向断面図（図８の下側の図）からは、ばね要素９が内部空間に突出していることがわかる。
【００２６】
図９は図８と同じ長手方向断面図であるが、送り要素１５が前に進んでおり、カセット１１がプラットホーム８の上に押し出されている。後ろにあるカセット１１は、１区画分だけ送り方向の前方に送られている。前進（送給）している間、このカセット１１はその前にあるばね要素９をその底部から順に内部筐体３の側壁４の内部へ押し込んでいる。カセットは前進している間、内部筐体３の底面にある通路２９の上をスライドする。
【００２７】
送り要素１５が引き戻されると、カセット１１の新しい区画位置にあるウェッジ要素１７が、ウェッジ表面に沿ってカセット１１から外側方向へ押される。傾斜面要素１９はカセット１１を持ち上げる。送り要素１５が完全に引き戻されると、カセット１１は再び傾斜面頭部２１の前方にある通路２９の上に落下し、ウェッジ要素１７がカセット１１の後方で内部筐体３の内部空間へ再び突出する。
【００２８】
本発明に係るマガジンは、対象物ブロックを入れたカセットを収容するために配設することが好ましい。もちろん、ばね要素、ウェッジ要素、傾斜面要素の寸法もまた、例えば対象物キャリヤの収容及び送りに合わせることができる。
【００２９】
本発明の他の視点におけるカセットの移送方法（形態１２）において、さらに以下の形態が可能である。
即ち、前記カセットを前進送りする工程は、送り要素に配設され、送り方向端部にウェッジ頭部を持つウェッジ要素のウェッジ頭部を用いてカセットを送り方向に押圧することにより行うことができる。（形態１３）
【００３０】
前記ばね要素を内部空間に突出させる工程は、ばね要素の弾性復元力を用いて行うことができる。（形態１４）
【００３１】
前記送り要素のみを逆戻りさせる工程は、長手方向垂直方向に弾性変形するように構成されたウェッジ要素を、長手方向垂直方向に弾性変形させながら行い、かつ１つ手前のカセットの背後にウェッジ頭部が来るまで行うことができる。（形態１５）
【００３２】
前記各工程は、カセットが、送り要素の底部に配設され、送り方向に向かって高くなり、送り方向端部に傾斜面頭部を有する傾斜面要素の上に当接支持された状態で行われることができる。（形態１６）
【図面の簡単な説明】
【００３３】
【図１】本発明の一実施例に係る、外部筐体の斜視図である。
【図２】本発明の一実施例に係る、内部筐体の斜視図である。
【図３】本発明の一実施例に係る、送り要素の斜視図である。
【図４】本発明の一実施例に係る、外部筐体の底面図である。
【図５】本発明の一実施例に係る、送り要素の駆動部である。
【図６】本発明の一実施例に係る、取り外した、駆動ユニットを含むマガジンマウントである。
【図７】本発明の一実施例に係る、組立てたマガジンの全体図である。
【図８】本発明の一実施例に係る、基本位置における、マガジンの長さ方向の断面立面図と平面図である。
【図９】本発明の一実施例に係る、前進位置における、同じ長さ方向の断面図である。
【符号の説明】
【００３４】
１  外部筐体
２  前面
３  内部筐体
４、５  側壁
６  垂直リブ
７  フレーム
８  プラットホーム
９  ばね要素
１０  ばね頭部
１１  カセット
１２、１３、１４  ガイドスロット
１５  送り（送給）要素
１６  弾性片部材
１７  ウェッジ要素
１８  ウェブ（桁腹）
１９  傾斜面要素
２０  ウェッジ頭部
２１  傾斜面頭部
２２  円形開口部
２３  溝
２４  ロータリーディスク
２５  偏心ピン
２６  モータ
２７  マガジンマウント
２８  区画境界平面
２９  通路
３０  センサ
【図１】
0005268610.tif 000002
【図２】
0005268610.tif 000003
【図３】
0005268610.tif 000004
【図４】
0005268610.tif 000005
【図５】
0005268610.tif 000006
【図６】
0005268610.tif 000007
【図７】
0005268610.tif 000008
【図８】
0005268610.tif 000009
【図９】
0005268610.tif 000010